(57)【特許請求の範囲】
【請求項１】
電気的に接続された複数の太陽電池を有する複数の太陽電池ストリングと、
前記複数の太陽電池ストリングを電気的に接続しており、幅方向に湾曲している配線材と、
前記太陽電池ストリング及び前記配線材の一方側に配されたガラス板と、
前記太陽電池ストリング及び前記配線材の他方側に配された樹脂シートと、
前記ガラス板と前記樹脂シートとの間に設けられており、前記太陽電池ストリング及び前記配線材を封止している充填材と、
を備え、
前記配線材は、当該配線材の前記幅方向における両端部が前記ガラス板側を向くように湾曲している断面形状を有する、太陽電池モジュール。
【請求項２】
前記充填材の前記太陽電池及び前記配線材よりも前記ガラス板側に位置する部分の常温下におけるショア硬度が、前記充填材の前記太陽電池及び前記配線材よりも前記樹脂シート側に位置する部分の常温下におけるショア硬度よりも高い、請求項１に記載の太陽電池モジュール。
【請求項３】
前記充填材の前記太陽電池及び前記配線材よりも前記ガラス板側に位置する部分が、ポリオレフィン樹脂を含み、前記充填材の前記太陽電池及び前記配線材よりも前記樹脂シート側に位置する部分が、エチレン・酢酸ビニル共重合体を含む、請求項１または２に記載の太陽電池モジュール。
【請求項４】
前記樹脂シートが、金属層を有する、請求項１〜３のいずれか一項に記載の太陽電池モジュール。
【発明の詳細な説明】
【技術分野】
【０００１】
本発明は、太陽電池モジュールに関する。
【背景技術】
【０００２】
従来、受光面側保護部材と、裏面側保護部材との間に充填された充填材層内に配された複数の太陽電池を有する太陽電池モジュールが知られている（例えば、特許文献１）。
【先行技術文献】
【特許文献】
【０００３】
【特許文献１】特開２０１１−１５５１７５号公報
【発明の概要】
【発明が解決しようとする課題】
【０００４】
太陽電池モジュールは、厳しい環境下に置かれることがある。このため、太陽電池モジュールの耐久性の向上が求められている。
【０００５】
本発明は、改善された耐久性を有する太陽電池モジュールを提供することを主な目的とする。
【課題を解決するための手段】
【０００６】
本発明の太陽電池モジュールは、複数の太陽電池ストリングと、配線材と、ガラス板と、樹脂シートと、充填材とを備える。複数の太陽電池ストリングは、電気的に接続された複数の太陽電池を有する。配線材は、複数の太陽電池ストリングを電気的に接続している。配線材は、幅方向に湾曲している。ガラス板は、太陽電池ストリング及び配線材の一方側に配されている。樹脂シートは、太陽電池ストリング及び配線材の他方側に配されている。充填材は、ガラス板と樹脂シートとの間に設けられている。充填材は、太陽電池ストリング及び配線材を封止している。配線材は、樹脂シートに向かって突出するように配されている。
【発明の効果】
【０００７】
本発明によれば、改善された耐久性を有する太陽電池モジュールを提供することができる。
【図面の簡単な説明】
【０００８】
【図１】本発明の一実施形態に係る太陽電池モジュールの略図的平面図である。
【図２】図１の線ＩＩ−ＩＩにおける略図的断面図である。
【図３】図１の線ＩＩＩ−ＩＩＩにおける略図的断面図である。
【図４】参考例に係る太陽電池モジュールの略図的断面図である。
【発明を実施するための形態】
【０００９】
以下、本発明を実施した好ましい形態の一例について説明する。但し、下記の実施形態は、単なる例示である。本発明は、下記の実施形態に何ら限定されない。
【００１０】
また、実施形態等において参照する各図面において、実質的に同一の機能を有する部材は同一の符号で参照することとする。また、実施形態等において参照する図面は、模式的に記載されたものであり、図面に描画された物体の寸法の比率などは、現実の物体の寸法の比率などとは異なる場合がある。図面相互間においても、物体の寸法比率等が異なる場合がある。具体的な物体の寸法比率等は、以下の説明を参酌して判断されるべきである。
【００１１】
図１及び図２に示されるように、太陽電池モジュール１は、複数の太陽電池ストリング１ａを備えている。複数の太陽電池ストリング１ａは、ｙ軸方向に沿って相互に間隔をおいて配されている。複数の太陽電池ストリング１ａは、第１の配線材１４によって電気的に接続されている。太陽電池ストリング１ａには、太陽電池モジュール１の外部にまで引き出された引き出し用配線材１７が電気的に接続されている。
【００１２】
複数の太陽電池ストリング１ａは、それぞれ、複数の太陽電池１２を備えている。各太陽電池ストリング１ａにおいて、複数の太陽電池１２は、ｘ軸方向に沿って相互に間隔をおいて配されている。各太陽電池ストリング１ａにおいて、複数の太陽電池１２は、第２の配線材１５によって電気的に接続されている。太陽電池１２と第２の配線材１５とは、樹脂接着剤や半田により接着されている。隣り合う太陽電池ストリング１ａの第２の配線材１５同士が、第１の配線材１４により、電気的に接続されている。第２の配線材１５と第１の配線材１４とは、樹脂接着剤や半田により接着されている。
【００１３】
太陽電池１２の種類は、特に限定されない。太陽電池１２は、例えば、結晶シリコン太陽電池、多結晶シリコン太陽電池などであってもよい。太陽電池１２は、第１の主面１２ａ及び第２の主面１２ｂを有する。太陽電池１２は、第１の主面１２ａにおいて受光した際にのみ発電を行うものであってもよいし、第１の主面１２ａにおいて受光した際に加えて、第２の主面１２ｂにおいて受光した際にも発電を行うものであってもよい。
【００１４】
図３に示されるように、太陽電池ストリング１ａ及び第１の配線材１４の一方側（ｚ１側）には、ガラス板１０が配されている。ガラス板１０は、太陽電池１２の第１の主面１２ａ側に配されている。
【００１５】
太陽電池ストリング１ａ及び第１の配線材１４の他方側（ｚ２側）には、樹脂シート１１が配されている。樹脂シート１１は、太陽電池１２の第２の主面１２ｂ側に配されている。樹脂シート１１は、金属層１６を有する。金属層１６は、例えば、アルミニウムなどにより構成される。
【００１６】
太陽電池１２は、充填材１３により封止されている。充填材１３は、ガラス板１０と樹脂シート１１との間に配されている。充填材１３は、第１の充填部１３ａと、第２の充填部１３ｂとを有する。第１の充填部１３ａは、ガラス板１０と太陽電池１２との間に位置する。第２の充填部１３ｂは、太陽電池１２と樹脂シート１１との間に位置する。
【００１７】
充填材１３の太陽電池１２及び第１の配線材１４よりもガラス板１０側に位置する第１の充填部１３ａの常温下におけるショア硬度は、充填材１３の太陽電池１２及び第１の配線材１４よりも樹脂シート１１側に位置する第２の充填部１３ｂの常温下におけるショア硬度よりも高い。なお、本発明において、ショア硬度は、所定の高さから硬い物体を被測定物の表面に落下させてそのはね返り高さを測定し、所定の高さに対するはね返り高さに基づいて規定されるものである。
【００１８】
充填材１３の太陽電池１２及び第１の配線材１４よりもガラス板１０側に位置する第１の充填部１３ａは、ポリオレフィン樹脂を含むことが好ましい。ポリオレフィン樹脂は、ポリエチレン樹脂及びポリプロピレン樹脂の少なくとも一種を含むことが好ましい。充填材１３の太陽電池１２及び第１の配線材１４よりも樹脂シート１１側に位置する第２の充填部１３ｂは、エチレン・酢酸ビニル共重合体を含むことが好ましい。
【００１９】
一般に、第１の配線材１４は、線状の銅箔からなり、リールから引き出して使用される。よって、第１の配線材１４は、幅方向に湾曲する。図３に示されるように、充填材１３中において、第１の配線材１４は、幅方向（ｘ方向）に湾曲している。第１の配線材１４は、樹脂シート１１に向かって突出するように配されている。このため、第１の配線材１４の端部１４ａは、ガラス板１０の方向（ｚ１方向）を向いている。
【００２０】
例えば、図４に示されるように、幅方向（ｘ方向）に湾曲した第１の配線材１１４が、ガラス板１１０に向かって突出するように配されている場合、第１の配線材１１４の端部１１４ａは、樹脂シート１１１の方向（ｚ２方向）を向く。そうすると、太陽電池モジュールに外力が加わった場合などに、太陽電池モジュールが変形し、第１の配線材１１４の端部１１４ａが樹脂シート１１１と接触し、樹脂シート１１１が破損する虞がある。樹脂シート１１１が破損すると、樹脂シート１１１から水分が進入し、太陽電池モジュールの特性が劣化しやすい。
【００２１】
これに対して、太陽電池モジュール１では、第１の配線材１４の端部１４ａは、ガラス板１０の方向（ｚ１方向）を向いているため、太陽電池モジュール１に外力が加わった場合などに、第１の配線材１４の端部１４ａと樹脂シート１１とは接触しにくく、第１の配線材１４によって樹脂シート１１が破損しにくい。また、第１の配線材１４の端部１４ａがガラス板１０と接触しても、ガラス板１０は、樹脂シート１１に比して強度が高く、破損しにくい。よって、太陽電池モジュール１への水分の進入が抑制される。従って、太陽電池モジュール１は、改善された耐久性を有する。
【００２２】
第１の充填部１３ａの常温下におけるショア硬度が、第２の充填部１３ｂの常温下におけるショア硬度よりも高い場合、第１の配線材１４の端部１４ａが、ショア硬度の高い第１の充填部１３ａによって、より強固に固定される。このため、第１の配線材１４と樹脂シート１１とは接触しにくく、第１の配線材１４によって樹脂シート１１が破損しにくい。
【００２３】
ポリオレフィン樹脂は、エチレン・酢酸ビニル共重合体よりも常温下において固い。よって、第１の充填部１３ａが、ポリオレフィン樹脂を含み、第２の充填部１３ｂが、エチレン・酢酸ビニル共重合体を含む場合、第１の配線材１４が、第１の充填部１３ａにおいて、より強固に固定される。
【００２４】
樹脂シート１１１が金属層１１６を有する場合、第１の配線材１１４の幅方向（ｘ方向）における端部１１４ａが、樹脂シート１１１側を向いていると、樹脂シート１１１に外力が加わった場合などに、端部１１４ａが樹脂シート１１１を破損して、端部１１４ａと金属層１１６とが接触する虞がある。第１の配線材１１４と金属層１１６とが接触すると、短絡を生じてしまう。これに対して、太陽電池モジュール１では、第１の配線材１４の端部１４ａは、ガラス板１０の方向（ｚ１方向）を向いている。このため、太陽電池モジュール１に外力が加わった場合などに、第１の配線材１４が金属層１６と接触しにくい。
【符号の説明】
【００２５】
１…太陽電池モジュール
１ａ…太陽電池ストリング
１０…ガラス板
１１…樹脂シート
１２…太陽電池
１２ａ…太陽電池の第１の主面
１２ｂ…太陽電池の第２の主面
１３…充填材
１３ａ…第１の充填部
１３ｂ…第２の充填部
１４…第１の配線材
１４ａ…第１の配線材の端部
１５…第２の配線材
１６…金属層
１７…引き出し用配線材
【図１】
0005857241.tif 000002
【図２】
0005857241.tif 000003
【図３】
0005857241.tif 000004
【図４】
0005857241.tif 000005